(57)【要約】【課題】狭隘な昇降路内に対して設置スペースの制約が少なく、容易にレイアウトできるエレベーター巻上機を得る。【解決手段】回転体４をハウジング１の支持軸３に枢着し、ディスク形の制動機１８をハウジング１の背板２に設けて回転体４の電動機６側の空所内に配置する。これにより、巻上機を小形化することができて狭隘な昇降路内に巻上機を設ける場合に、設置スペースの制約が少なくレイアウトの自由度が向上して設置を容易化する。また、エレベーターが設置される建物のスペース効率を向上し、またエレベーターの設置費を低減する。さらに、制動機１８がハウジング１内に装備されて、制動片１０等による制動面が内部に配置される。このため、外部から制動面に油等が付着することを防止でき、巻上機の運転信頼性を向上する。【選択図】　　　　図１
2004075360.tif 000002
【特許請求の範囲】
【請求項１】
ハウジングに設けられた支持軸と、この支持軸に枢着されて上記ハウジング内に設けられた回転体と、この回転体の上記支持軸の長手における一側に形成された駆動綱車と、上記回転体の上記支持軸の長手における他側の外周に設けられた電動機と、上記回転体の上記電動機側の内側に設けられて上記回転体と共に回転する回転板、上記ハウジングに保持されて上記回転板の側面方向に変位自在に設けられた可動制動板、上記ハウジングに設けられて上記可動制動板を上記回転板方向に付勢する付勢体及び上記電動機の付勢時に付勢されて上記可動制動板を上記付勢体の付勢力に抗して吸引する電磁石からなるディスク形の制動機とを備えたエレベーター巻上機。
【請求項２】
回転板を、回転体の電動機の電機子側に形成された空所内に配置されて、制動機の可動制動板に対面した回転板面からなるものとしたことを特徴とする請求項１記載のエレベーター巻上機。
【請求項３】
ハウジングを、一側の側面を形成する背板及びこの背板の中心部に設けられた開口部に着脱自在に嵌合されて締結された蓋板を有するものとし、またディスク形の制動機を、この制動機のフィールドが上記背板の開口部の縁部に装着されて、回転体の電動機の電機子側に形成された空所内に配置されたものとしたことを特徴とする請求項１及び請求項２のいずれか一つに記載のエレベーター巻上機。
【発明の詳細な説明】
【０００１】
【発明の属する技術分野】
この発明は、駆動綱車の回転軸線に沿う方向の外形寸法が短く薄形に形成されたエレベーター巻上機に関する。
【０００２】
【従来の技術】
駆動綱車の回転軸線に沿う方向の外形寸法が短く薄形に形成されたエレベーター巻上機として、例えば特開２０００−１６７２７号公報に示された従来のエレベーター巻上機がある。すなわち、ハウジングに設けられた固定軸と、ハウジングに設けられて固定軸に枢着された回転枠と、この回転枠の固定軸の長手における一側に形成された綱車と、回転枠の支持軸の長手における他側に設けられた電動機とが装備される。
【０００３】
また、巻上機には回転枠の電動機側に設けられて回転枠と共に回転する回転ドラム、ハウジングに保持されて回転ドラムを押圧する制動靴、ハウジングに設けられて制動靴を回転ドラム方向に付勢する付勢体及び電動機の付勢時に付勢されて制動靴を付勢体の付勢力に抗して吸引する電磁石からなるドラム形の制動機が装備されている。
【０００４】
従来のエレベーター巻上機は上記のように構成され、エレベーターの昇降路（図示しない）に据付けられる。そして、エレベーターの停止時には電磁石が消勢されて、付勢体の押圧力によって制動靴が回転ドラムを押圧する。これによって綱車、すなわち巻上機が制動される。
また、昇降運転時に電動機が付勢されると電磁石も付勢されて付勢体の押圧力に抗して制動靴を吸引する。
【０００５】
これにより、制動靴の制動動作が解除され、回転枠、すなわち綱車が回転する。これにより綱車との摩擦力によって、図示が省略してあるが綱車に巻掛けられた主索が駆動され、主索に吊持されたかご等の昇降体が昇降する。そして、電動機が消勢されると綱車が停止し、電磁石も消勢されて付勢体の押圧力によって制動靴が制動ドラム面を押圧して綱車が制動されるようになっている。
【０００６】
【発明が解決しようとする課題】
上記のような従来のエレベーター巻上機では、回転枠の外周に制動ドラムが形成されているので、制動機の占有スペースが増す。このため、狭隘な昇降路内において設置スペースの制約を受け易く、昇降路において巻上機設置のレイアウトが困難になるという問題点があった。
【０００７】
この発明は、かかる問題点を解消するためになされたものであり、狭隘な昇降路内に対して設置スペースの制約が少なく、容易にレイアウトできるエレベーター巻上機を得ることを目的とする。
【０００８】
【課題を解決するための手段】
この発明に係るエレベーター巻上機においては、ハウジングに設けられた支持軸と、この支持軸に枢着されてハウジング内に設けられた回転体と、この回転体の支持軸の長手における一側に形成された駆動綱車と、回転体の支持軸の長手における他側の外周に設けられた電動機と、回転体の電動機側の内側に設けられて回転体と共に回転する回転板、ハウジングに保持されて回転板の側面方向に変位自在に設けられた可動制動板、ハウジングに設けられて可動制動板を回転板方向に付勢する付勢体及び電動機の付勢時に付勢されて可動制動板を付勢体の付勢力に抗して吸引する電磁石からなるディスク形の制動機とが設けられる。
【０００９】
また、この発明に係るエレベーター巻上機においては、回転体の電動機の電機子側に形成された空所内に配置されて、制動機の可動制動板に対面した回転板面からなる回転板が設けられる。
【００１０】
また、この発明に係るエレベーター巻上機においては、一側の側面を形成する背板及びこの背板の中心部に設けられた開口部に着脱自在に嵌合されて締結された蓋板を有するハウジングが設けられ、また制動機のフィールドが背板の開口部の縁部に装着されて、回転体の電動機の電機子側に形成された空所内に配置されたディスク形の制動機が設けられる。
【００１１】
【発明の実施の形態】
実施の形態１．
図１は、この発明の実施の形態の一例を示す縦断面図である。図において、１はハウジング、２はハウジング１に締結されてハウジング１の一側の側面を形成した背板、３はハウジング１に設けられた支持軸で、長手の一側がハウジング１の前側に他側が背板２に支持されている。４はハウジング１内に設けられて支持軸３に枢着された回転体、５は回転体４の支持軸３の長手における反背板２側、すなわち一側に形成された駆動綱車である。
【００１２】
６は電動機で、回転体４の支持軸３の長手における背板２側、すなわち他側の外周に設けられた電機子７及びハウジング１内に設けられて電機子７に対向して配置された固定子巻線８によって構成されている。９は回転体４の電動機６側の内側に設けられ、回転体４に固定されて回転体４と共に回転する回転板、１０は回転板９の両側面にそれぞれ装着された制動片、１１はハウジング１の背板２に設けられて回転板９と対向して配置されたフィールドである。
【００１３】
１２は固定制動板で、回転体４の駆動綱車５における背板２側の側面と回転板９の間に配置されている。１３は案内棒で、スペーサからなりフィールド１１と固定制動板１２の間に配置され、かつ回転板９の外周に対向し、かつ外周に沿って互いに離れて複数個が配置されている。１４は取付ボルトで、固定制動板１２及び案内棒１３に挿通されてフィールド１１にねじ込まれている。
【００１４】
１５は可動制動板で、フィールド１１と回転板９の間に配置されて外周縁部が案内棒１３に空隙を形成して嵌合され、回転板９に対して進退自在に装備されている。１６はフィールド１１に設けられた付勢体で、圧縮コイルばねからなり可動制動板１５を回転板９方向へ付勢する。
【００１５】
１７はフィールド１１に設けられた電磁石で、電動機６の付勢時に付勢されて可動制動板１５を付勢体１６の付勢力に抗して吸引する。１８はディスク形の制動機で、回転板９、制動片１０、フィールド１１、固定制動板１２、可動制動板１５、付勢体１６及び電磁石１７を主要部材として構成されている。
【００１６】
上記のように構成されたエレベーター巻上機は、ハウジング１がエレベーターの昇降路（図示しない）に据付けられる。そして、図示が省略してあるがエレベーターの停止時には制動機１８の電磁石１７が消勢されて、付勢体１６の付勢力によって可動制動板１５が回転板９方向へ付勢される。これによって回転板９が固定制動板１２及び可動制動板１５によって挟圧されて駆動綱車５、すなわち巻上機が制動される。
【００１７】
また、エレベーターの昇降運転時に電動機６が付勢されると電磁石１７も付勢されて付勢体１６の押圧力に抗して可動制動板１５を吸引する。これにより、可動制動板１５の付勢が解除され、回転板９、すなわち駆動綱車９が回転する。そして図示が省略してあるが、駆動綱車５に巻掛けられた主索が駆動綱車５との摩擦力によって駆動されて主索に吊持されたかご等の昇降体が昇降する。また、電動機６が消勢されると駆動綱車９が停止し、電磁石１７も消勢されて駆動綱車９が制動される。
【００１８】
そして、図１に示す巻上機の構成においてディスク形の制動機１８がハウジング１の背板２に設けられて、回転体４に形成されて電動機６の電機子７側に配置された空所の内側に配置される。このため、巻上機を小形化することができて狭隘な昇降路１内に巻上機を設ける場合に、設置スペースの制約が少なくレイアウトの自由度が向上して容易に設置することができる。
【００１９】
したがって、エレベーターが設置される建物のスペース効率を向上し、またエレベーターの設置費を低減することができる。また、制動機１８がハウジング１内に装備されて、制動片１０等による制動面が内部に配置される。このため、外部から制動面に油等が付着することを防止でき、運転信頼性の高い巻上機を得ることができる。
【００２０】
実施の形態２．
図２は、この発明の他の実施の形態の一例を示す縦断面図である。図において、前述の図１と同符号は相当部分を示し、１９は回転板面で、回転体４に設けられて電動機６の電機子７側に配置された空所内に形成されて、制動機１８の可動制動板１５に対面して配置されている。２０は可動制動板１５に設けられて回転板面１９と対向して配置された制動片である。
【００２１】
上記のように構成されたエレベーター巻上機においても、前述の図１の実施の形態のエレベーター巻上機と同様に運転される。そして、ディスク形の制動機１８がハウジング１の背板２に設けられて、回転体４に形成されて電動機６の電機子７側に配置された空所の内側に配置される。また、電磁石１７の消勢によって付勢体１６の付勢力によって可動制動板１５が回転板面１９方向へ付勢され、回転体４が制動される。したがって、詳細な説明を省略するが図２の実施の形態においても図１の実施の形態と同様な作用が得られる。
【００２２】
また、図２の実施の形態において、回転体４と回転板面１９が一体に製作され、回転体４の一部に回転板面１９が形成される。このため、図１の実施の形態によるエレベーター巻上機よりも部品数が減少し、また回転板９の装着箇所の加工が不要になる。したがって、安価に製作でき、しかも運転信頼性の高い巻上機を得ることができる。
【００２３】
実施の形態３．
図３も、この発明の他の実施の形態の一例を示す縦断面図である。図において、前述の図１と同符号は相当部分を示し、２１は背板２の中心部に設けられた開口部、２２は開口部２１に着脱自在に嵌合されて締結された蓋板で、背板２の一部を形成し支持軸３の端部が嵌合されている。
【００２４】
２３はフィールドで、蓋板２の開口部２１縁部に装着され、回転体４に形成されて電動機６の電機子７側に配置された空所の内側に配置される。そして、固定制動板１２が回転板９と背板２の蓋板２２の間に配置され、また可動制動板１５が回転板９とフィールド２３の蓋板２２に対向した凹所との間に配置される。
【００２５】
上記のように構成されたエレベーター巻上機においても、前述の図１の実施の形態のエレベーター巻上機と同様に運転される。そして、ディスク形の制動機１８がハウジング１の背板２側に設けられて、回転体４に形成されて電動機６の電機子７側に配置された空所の内側に配置される。また、電磁石１７の消勢によって付勢体１６の付勢力によって可動制動板１５が回転板９方向へ付勢され、回転体４が制動される。したがって、詳細な説明を省略するが図３の実施の形態においても図１の実施の形態と同様な作用が得られる。
【００２６】
また、図３の実施の形態において、背板２の中心部に開口部２１が設けられて、開口部２１に着脱自在に嵌合されて締結された蓋板２２が設けられる。これによって、保守、点検作業時に蓋板２２を取り外して、外部から制動機１８の制動面、制動片１０を着脱及び調整することができる。これにより、保守作業性のよい巻上機を得ることができて保守作業能率を向上することができ、また運転信頼性の高い巻上機を実現することができる。
【００２７】
【発明の効果】
この発明は以上説明したように、ハウジングに設けられた支持軸と、この支持軸に枢着されてハウジング内に設けられた回転体と、この回転体の支持軸の長手における一側に形成された駆動綱車と、回転体の支持軸の長手における他側の外周に設けられた電動機と、回転体の電動機側の内側に設けられて回転体と共に回転する回転板、ハウジングに保持されて回転板の側面方向に変位自在に設けられた可動制動板、ハウジングに設けられて可動制動板を回転板方向に付勢する付勢体及び電動機の付勢時に付勢されて可動制動板を付勢体の付勢力に抗して吸引する電磁石からなるディスク形の制動機とを設けたものである。
【００２８】
これによって、ディスク形の制動機がハウジングの背板に設けられて、回転体に形成されて電動機側に配置された空所の内側に配置される。このため、巻上機を小形化することができて狭隘な昇降路内に巻上機を設ける場合に、設置スペースの制約が少なくレイアウトの自由度が向上して設置を容易化する効果がある。また、エレベーターが設置される建物のスペース効率を向上し、またエレベーターの設置費を低減することができる。さらに、制動機がハウジング内に装備されて、制動片等による制動面が内部に配置さる。このため、外部から制動面に油等が付着することを防止でき、巻上機の運転信頼性を向上する効果がある。
【００２９】
また、この発明は以上説明したように、回転体の電動機の電機子側に形成された空所内に配置されて、制動機の可動制動板に対面した回転板面からなる回転板を設けたものである。
【００３０】
これによって、ディスク形の制動機がハウジングの背板に設けられて、回転体に形成されて電動機側に配置された空所の内側に配置される。また、制動機の可動制動板に対面した回転板面からなる回転板が回転体に形成される。そして、回転体と回転板面が一体に製作されて回転体の一部に回転板面が形成される。このため、エレベーター巻上機の部品数が減少し、また独立した回転板の装着箇所の加工が不要になる。したがって、安価に製作でき、しかも運転信頼性の高い巻上機を得る効果がある。
【００３１】
また、この発明は以上説明したように、一側の側面を形成する背板及びこの背板の中心部に設けられた開口部に着脱自在に嵌合されて締結された蓋板を有するハウジングが設けられ、また制動機のフィールドが背板の開口部の縁部に装着されて、回転体の電動機の電機子側に形成された空所内に配置されたディスク形の制動機を設けたものである。
【００３２】
これによって、ディスク形の制動機がハウジングの背板に設けられて、回転体に形成されて電動機側に配置された空所の内側に配置される。また、背板の中心部に開口部が設けられて、開口部に着脱自在に嵌合されて締結された蓋板が設けられる。これによって、保守、点検作業時に蓋板を取り外して、外部から制動機の制動面、制動片を着脱及び調整することができる。このため、保守作業性のよい巻上機を得ることができて運転信頼性の高い巻上機を実現する効果がある。
【図面の簡単な説明】
【図１】この発明の実施の形態１を示す縦断面図。
【図２】この発明の実施の形態２を示す縦断面図。
【図３】この発明の実施の形態３を示す縦断面図。
【符号の説明】
１　ハウジング、２　背板、３　支持軸、４　回転体、５　駆動綱車、６　電動機、９　回転板、１５　可動制動板、１６　付勢体、１７　電磁石、１８　ディスク形の制動機、１９　回転板面、２１　開口部、２２　蓋板、２３　フィールド。
【図１】
2004075360.tif 000003
【図２】
2004075360.tif 000004
【図３】
2004075360.tif 000005